(57)【要約】【課題】板状体端部の脆弱な部分の位置に係わらず、外部からの衝撃を効果的に吸収して板状体の変形や破損を防止する梱包材及びそれを用いた梱包体を提供する。【解決手段】梱包材１００は、板状体１１を包装する包装袋１０と、包装袋１０に入った状態の板状体１１を梱包する外装材１とから構成される。外装材１は、底板２、第１折り返し片４ａ、４ｂ、２折り返し片５ａ、５ｂ、及び第３折り返し片９ａ、９ｂで構成されており、包装袋１０に入った板状体１１は折り返し部６ｃとの間に間隔Ｐを隔てて支持されている。【選択図】図６
2008201449.tif 000002
【特許請求の範囲】
【請求項１】
矩形状の底板と、該底板の対向する二辺に折り線を介して連続する一対の第１折り返し片と、前記底板の他の二辺に折り線を介して連続する一対の第２折り返し片と、を有する外装材と、該外装材内に配置され板状体を直接包装する樹脂フィルム製の包装袋と、から成る梱包材であって、
前記包装袋は、前記第１折り返し片及び前記第２折り返し片を折り曲げて形成される折返し部のうち少なくとも１箇所との間に所定の間隔を隔てて支持されることを特徴とする板状体の梱包材。
【請求項２】
前記包装袋は、開口端が前記第１折り返し片の端部から突出するように前記底板と前記第１折り返し片との間に配置され、前記開口端を折り返して前記各第１折り返し片の接合部分に固定されることを特徴とする請求項１に記載の板状体の梱包材。
【請求項３】
前記各折り返し部に、前記底板と平行に突出する切り起こし部を形成したことを特徴とする請求項１又は請求項２に記載の板状体の梱包材。
【請求項４】
前記各第２折り返し片は矩形状であって、前記底板が連続する辺に対し垂直な二辺には折り線を介して連続する一対の第３折り返し片が設けられることを特徴とする請求項３に記載の板状体の梱包材。
【請求項５】
請求項１乃至請求項４のいずれかに記載の梱包材を用いて梱包された梱包体。
【発明の詳細な説明】
【技術分野】
【０００１】
本発明は、例えばガラス板、鏡板、液晶パネル等の脆性を有する板状体を梱包する梱包材及びそれを用いた梱包体に関するものである。
【背景技術】
【０００２】
ガラス板や鏡板、液晶パネル等の脆性板状体を梱包する場合、輸送中に外部から受ける衝撃を吸収して板状体の破損を防止する必要がある。従来、段ボールや発泡スチロール製の梱包材料を用いて緩衝構造を設けた梱包方法が種々提案されており、例えば特許文献１には、箱体の底面の中央内側を略コ字状またはＵ字状に切り起こして折り曲げ部を設け、この折り曲げ部に板状体を把持させる梱包構造が開示されている。
【０００３】
しかしながら、特許文献１の方法では、梱包状態で板状体を起立させると折り曲げ部で受けている部分に集中して荷重が掛かる。そのため、例えば板状体の特に脆弱な部分を折り曲げ部で受けている場合、落下時にその部分が変形、破損してしまうおそれがあった。また、梱包される板状体によって脆弱な部分は異なるが、折り曲げ部の位置は変更できないためその部分の受けを回避することができなかった。
【特許文献１】特開平１１−９１８４５号公報
【発明の開示】
【発明が解決しようとする課題】
【０００４】
本発明は、上記問題点に鑑み、板状体の脆弱な部分の位置に係わらず、外部からの衝撃を効果的に吸収して板状体の変形や破損を防止する梱包材及びそれを用いた梱包体を提供することを目的とするものである。
【課題を解決するための手段】
【０００５】
上記目的を達成するために本発明は、矩形状の底板と、該底板の対向する二辺に折り線を介して連続する一対の第１折り返し片と、前記底板の他の二辺に折り線を介して連続する一対の第２折り返し片と、を有する外装材と、該外装材内に配置され板状体を直接包装する樹脂フィルム製の包装袋と、から成る梱包材であって、前記包装袋は、前記第１折り返し片及び前記第２折り返し片を折り曲げて形成される折返し部のうち少なくとも１箇所との間に所定の間隔を隔てて支持されることを特徴としている。
【０００６】
また本発明は、上記構成の梱包材において、前記包装袋は、開口端が前記第１折り返し片の端部から突出するように前記底板と前記第１折り返し片との間に配置され、前記開口端を折り返して前記各第１折り返し片の接合部分に固定されることを特徴としている。
【０００７】
また本発明は、上記構成の梱包材において、前記各折り返し部に、前記底板と平行に突出する切り起こし部を形成したことを特徴としている。
【０００８】
また本発明は、上記構成の梱包材において、前記各第２折り返し片は矩形状であって、前記底板が連続する辺に対し垂直な二辺には折り線を介して連続する一対の第３折り返し片が設けられることを特徴としている。
【０００９】
また本発明は、上記構成の梱包材を用いて梱包された梱包体である。
【発明の効果】
【００１０】
本発明の第１の構成によれば、板状体との間に間隔を有する折り返し部を下にして梱包材を起立させたとき板状体が包装袋で吊り下げ支持される。これにより、板状体が吊り下げられた方向に梱包材が落下した場合に包装袋の柔軟性により衝撃が緩和され、板状体の端部の破損を防止することができる。
【００１１】
また、本発明の第２の構成によれば、上記第１の構成の梱包材において、包装袋を開口端が第１折り返し片の端部から突出するように底板と第１折り返し片との間に配置するとともに、開口端を折り返して各第１折り返し片の接合部分に固定することにより、第１折り返し片及び包装袋の固定を同時に行うことができる。また、包装袋の開口端のみが固定されるため、包装袋全体の柔軟性を利用して衝撃を効果的に吸収可能となる。
【００１２】
また、本発明の第３の構成によれば、上記第１又は第２の構成の梱包材において、第１及び第２折り返し片の折り返し部に、底板と平行に突出する切り起こし部が形成されるため、切り起こし部の緩衝効果により板状体の端部をより効果的に保護可能となる。
【００１３】
また、本発明の第４の構成によれば、上記第３の構成の梱包材において、第１及び第２折り返し片を底板の内面側に折り返した後、第３折り返し片を底板の外面側に折り返すことにより、板状体の表裏方向をそれぞれ２枚のシート材で被覆することができる。さらに、第３折り返し片を用いて切り起こし部の潰れを防止できる。
【００１４】
また、本発明の第５の構成によれば、上記第１乃至第４のいずれかの構成の梱包材を用いて板状体を梱包することにより、ガラス、鏡板、液晶パネル等の脆弱な板状体の端部を輸送時の衝撃等から効果的に保護できる梱包体となる。
【発明を実施するための最良の形態】
【００１５】
以下、図面を参照しながら本発明の実施形態について説明する。図１は、本発明の梱包材を構成する外装材の展開図である。図１に示すように、外装材１は一枚のシート材を所定の形状に打ち抜いて形成されており、矩形状の底板２と、折り線３ａ、３ｂを介して底板２の対向する二辺に連続する一対の第１折り返し片４ａ、４ｂと、折り線３ｃ、３ｄを介して底板２の他の二辺に連続する一対の第２折り返し片５ａ、５ｂと、各第２折り返し片５ａ、５ｂの底板２が連続する辺に対し垂直な二辺に折り線３ｅ、３ｆを介して連続する一対の第３折り返し片９ａ、９ｂとで構成されている。また、底板２の四隅には切り欠き２ａが形成されている。
【００１６】
折り線３ａと３ｂ、３ｃと３ｄの間は、それぞれ内装される板状体１１（図２参照）の端部に対峙する折り返し部６ａ〜６ｄとなり、折り線３ｅと３ｆの間は、第３折り返し片９ａ、９ｂを折り曲げたとき折り返し部６ｅとなって折り返し部６ａ、６ｂに重なる。折り返し部６ａ〜６ｄには切り込み７ａ、７ｂが設けられており、切り込み７ａは第１折り返し片４ａ、４ｂ及び第２折り返し片５ａ、５ｂを折り曲げたときに折り返し部６ａ〜６ｄの中央付近から外向きに突出する切り起こし部１３ａ（図５参照）を形成する。一方、切り込み７ｂは折り返し部６ａ〜６ｄの端部から外向きに突出する切り起こし部１３ｂ（図５参照）を形成する。
【００１７】
図２は、図１に示した外装材の底板上に板状体を載置した状態を示す平面図、図３は、図２の状態から第１折り返し片４ａ、４ｂを折り返した状態を示す平面図、図４及び図５は、図３の状態から第２折り返し片５ａ、５ｂを折り返した状態を示す平面図及び背面図、図６及び図７は、本発明の梱包材に板状体を梱包した状態を示す平面図及び側面断面図（図６のＡＡ′断面）である。図２〜図７を用いて本発明の梱包材の組み立て手順について説明する。なお、ここでは板状体１１の端部のうち、折り返し部６ｃに対峙する部分（図２の下端）が最も強度が弱いものとする。
【００１８】
梱包材１００は、板状体１１を直接包装する樹脂フィルム製の包装袋１０と、包装袋１０に入った状態の板状体１１を梱包する外装材１とから構成される。先ず、梱包される板状体１１を包装袋１０に入れて底板２上に載置する。図２に示すように、包装袋１０の深さは板状体１１の長手方向よりも大きく、開口端１０ａは底板２から突出している。また、板状体１１の端部と折り返し部６ｃとの間は間隔Ｐだけ隔てて配置されている。包装袋１０の材質としては特に制限はないが、安価で柔軟性に富むポリエチレン製が好ましい。
【００１９】
次に、折り線３ａ、３ｂを垂直（図２の紙面表側）に谷折りすることにより、図３に示すように、折り返し部６ａ、６ｂを断面コ字状に折り曲げて第１折り返し片４ａ、４ｂを板状体１１上に重ね合わせる。このとき、折り返し部６ａ、６ｂに形成された切り込み７ａ、７ｂにより、切り起こし部１３ａ、１３ｂが折り返し部６ａ、６ｂよりも外側に突出する。そして、包装袋１０の開口端１０ａを第１折り返し片４ａ、４ｂ側に折り返した後、粘着テープ１５で第１折り返し片４ａ、４ｂの表面に固定する。これにより、第１折り返し片４ａ、４ｂが折り曲げた状態で固定されるとともに、包装袋１０に入った板状体１１が折り返し部６ｃとの間に間隔Ｐを隔てて支持される。
【００２０】
次に、折り線３ｃ、３ｄを同様に谷折りすることにより、図４に示すように、折り返し部６ｃ、６ｄを断面コ字状に折り曲げて第２折り返し片５ａ、５ｂを第１折り返し片４ａ、４ｂ上に重ね合わせる。このとき、折り返し部６ｃ、６ｄに形成された切り込み７ａ、７ｂにより、切り起こし部１３ａ、１３ｂが折り返し部６ｃ、６ｄよりも外側に突出する。図４の状態から梱包材１００を矢印Ｘ方向に反転させて背面側から見ると、図５に示すように板状体１１の角部は切り欠き２ａから露出しており、折り返し部６ａ〜６ｄが板状体１１の角部を直接支持しない構成となっている。
【００２１】
次に、図５の状態から折り線３ｅ、３ｆを垂直（図５の紙面表側）に谷折りすることにより、図６に示すように、第３折り返し片９ａ、９ｂを底体２の外面側（板状体１１の内装されていない側）に重ね合わせる。このとき、折り返し部６ａ、６ｂに形成された切り起こし部１３ａ、１３ｂがコ字状の折り返し部６ｅにより覆われる。最後に、第３折り返し片９ａ、９ｂの当接部分を粘着テープ等で固定することにより梱包材１００が組み立てられる。
【００２２】
本実施形態の構成によれば、図７に示すように板状体１１の表裏方向の一面が底板２及び第３折り返し片９ａ、９ｂで、他面が第１折り返し片４ａ、４ｂ及び第２折り返し片５ａ、５ｂで覆われるため、板状体１１の表裏方向をそれぞれ２枚のシート材で保護することができる。また、第３折り返し片９ａ、９ｂの折り返し部６ｅが折り返し部６ａ、６ｂから突出する切り起こし部１３ａ、１３ｂを覆うとともに、折り返し部６ｃ、６ｄから突出する切り起こし部１３ａ、１３ｂには第３折り返し片９ａ、９ｂのエッジ部が重なるため、衝撃による切り起こし部１３ａ、１３ｂの潰れを防止することができる。
【００２３】
また、板状体１１は包装袋１０により折り返し部６ｃとの間に間隔Ｐを隔てて支持されるため、折り返し部６ｃを下にして梱包材１００を起立させたとき板状体１１が吊り下げられた状態になる。これにより、梱包材１００が折り返し部６ｃを下にして落下した場合に包装袋１０の柔軟性により衝撃が緩和され、折り返し部６ｃに対峙する強度の低い板状体１１の端部の破損を防止することができる。ここで、包装袋１０は開口端１０ａのみが固定され、残りの部分は底板２及び第１折り返し片４ａ、４ｂに固定されていないため、包装袋１０全体の柔軟性を利用して衝撃を緩和できる。
【００２４】
なお、上記実施形態では、包装袋１０の開口端１０ａを折り返して第１折り返し片４ａ、４ｂに固定しているが、例えば図８に示すように、包装袋１０を外装材１の底板２上に固定しても良い。このとき、包装袋１０を底板２の四辺との間に所定の間隔を隔てて固定すれば、包装袋１０の柔軟性により板状体１１の全ての端部に対する衝撃を緩和することができる。この場合、包装袋１０全体の柔軟性を利用するために、例えば包装袋１０の四隅のみを底板２に固定しておくことが好ましい。
【００２５】
上記実施形態の梱包材１００を用いて得られた梱包体は、そのまま、或いはさらに段ボール製の外箱に入れた状態で保管、輸送される。このような梱包体は、ガラス、鏡板、液晶パネル等の脆弱な板状体１１の端部を輸送時の衝撃等から効果的に保護することができる。
【００２６】
その他本発明は、上記実施形態に限定されず、本発明の趣旨を逸脱しない範囲で種々の変更が可能である。例えば、上記実施形態では、底板２に形成された切り欠き２ａにより板状体１１の角部を直接支持しない構成としたが、切り起こし部１３ｂの形成によって生じる開口を利用して板状体１１の角部を逃がす構成としても良い。また、第３折り返し片９ａ、９ｂは必須の構成要素ではなく、第１第２折り返し片４ａ、４ｂ及び第２折り返し片５ａ、５ｂのみを有する外装材１を用いても良い。
【００２７】
また、ここでは折り曲げ部６ａ〜６ｅを断面コ字状に形成しているが、例えば包装される板状体１１が薄い場合は、底板２、第１折り返し片４ａ、４ｂ、第２折り返し片５ａ、５ｂ、及び第３折り返し片９ａ、９ｂをそれぞれ１本の折り線を介して連結させ、折り曲げ部６ａ〜６ｅを断面くさび形に形成しても良い。
【産業上の利用可能性】
【００２８】
本発明は、矩形状の底板と、該底板の対向する二辺に折り線を介して連続する一対の第１折り返し片と、底板の他の二辺に折り線を介して連続する一対の第２折り返し片と、を有する外装材と、該外装材内に配置され板状体を直接包装する樹脂フィルム製の包装袋とから成り、包装袋が、第１折り返し片及び第２折り返し片を折り曲げて形成される折返し部のうち少なくとも１箇所との間に所定の間隔を隔てて支持される梱包材である。
【００２９】
これにより、包装袋の柔軟性を利用して板状体の端部の破損を効果的に防止できる簡易な構成の梱包材を提供することができる。
【００３０】
また、包装袋を底板と第１折り返し片との間に配置するとともに、包装袋の開口端を第１折り返し片の端部から突出させておき、開口端を折り返して各第１折り返し片の接合部分に固定したので、第１折り返し片及び包装袋の固定を同時に行うことができる組み立ての容易な梱包体となる。また、包装袋全体の柔軟性を利用して衝撃を効果的に吸収可能となる。
【００３１】
また、第１及び第２折り返し片の折り返し部に切り起こし部を形成したので、切り起こし部の緩衝効果により板状体の端部をより効果的に保護可能な梱包材となる。さらに、第２折り返し片の底板が連続する辺に対し垂直な二辺に第３折り返し片を設けておき、第１及び第２折り返し片を底板の内面側に折り返した後、第３折り返し片を底板の外面側に折り返したので、板状体の表裏方向をそれぞれ２枚のシート材で被覆することができ、衝撃による切り起こし部の潰れも防止できる梱包材となる。
【００３２】
また、本発明の梱包材を用いて板状体を梱包すれば、ガラス、鏡板、液晶パネル等の脆弱な板状体の端部を輸送時の衝撃等から効果的に保護できる梱包体となる。
【図面の簡単な説明】
【００３３】
【図１】は、本発明の梱包材を構成する外装材の展開図である。
【図２】は、外装材の底板上に板状体を載置した状態を示す平面図である。
【図３】は、図２の状態から第１折り返し片を折り返した状態を示す平面図である。
【図４】は、図３の状態から第２折り返し片を折り返した状態を示す平面図である。
【図５】は、図３の状態から第２折り返し片を折り返した状態を示す背面図である。
【図６】は、本発明の梱包材に板状体を梱包した状態を示す平面図である。
【図７】は、本発明の梱包材に板状体を梱包した状態を示す断面図である。
【図８】は、包装袋の他の固定方法を示す平面図である。
【符号の説明】
【００３４】
１              外装材
２              底板
２ａ            切り欠き
３ａ〜３ｆ      折り線
４ａ、４ｂ      第１折り返し片
５ａ、５ｂ      第２折り返し片
６ａ〜６ｅ      折り返し部
７ａ、７ｂ      切り込み
９ａ、９ｂ      第３折り返し片
１０            包装袋
１０ａ          開口端
１１            板状体
１３ａ、１３ｂ  切り起こし部
１５            粘着テープ
１００          梱包材
【図１】
2008201449.tif 000003
【図２】
2008201449.tif 000004
【図３】
2008201449.tif 000005
【図４】
2008201449.tif 000006
【図５】
2008201449.tif 000007
【図６】
2008201449.tif 000008
【図７】
2008201449.tif 000009
【図８】
2008201449.tif 000010